(57)【要約】【課題】太陽光発電の運転を開始してから現時点までの太陽光発電による地球環境への貢献の累積を視覚的に利用者に効果的に知らせ、長期間にわたって利用者に地球環境のために省エネルギーに対する継続した強い動機付けを与えることができる。【解決手段】太陽光発電の状況を表示するモニター装置１のディスプレー２に太陽光発電により地球環境に貢献したことを利用者に知らせるための環境貢献度表示画面Ｂ５を表示する。環境貢献度表示画面Ｂ５に太陽光発電の積算発電量が一定発電量に達する毎に、環境貢献マーク４を一つずつ増加させて表示するようにした環境貢献マーク表示手段５を設ける。【選択図】図１
2008178282.tif 000002
【特許請求の範囲】
【請求項１】
太陽光発電の状況を表示するモニター装置のディスプレーに太陽光発電により地球環境に貢献したことを利用者に知らせるための環境貢献度表示画面を表示し、該環境貢献度表示画面に太陽光発電の積算発電量が一定発電量に達する毎に、環境貢献マークを一乃至複数ずつ増加させて表示するようにした環境貢献マーク表示手段を設けて成ることを特徴とする太陽光発電モニター装置。
【請求項２】
環境貢献度表示画面が初期画面部と初期画面部の側部に連続する増大用画面部とからなり、モニター装置の運転開始から太陽光発電の積算発電量が一定発電量に達する毎に増加しながら表示される環境貢献マークが所定数に達するまでは環境貢献度表示画面としてディスプレーに初期画面部のみが表示され、初期画面部に表示される環境貢献マークが所定数に達すると、ディスプレーに表示される環境貢献度表示画面として、所定数の環境貢献マークが表示された初期画面部の表示に引き続いて、増大用画面部がスクロールされて表示され、上記スクロールされて表示される増大用画面部に、上記初期画面部に表示された数の環境貢献マークに対応した積算発電量に達した以降における太陽光発電の積算発電量が一定発電量に達する毎に一乃至複数ずつ環境貢献マークを増加させて表示することを特徴とする請求項１記載の太陽光発電モニター装置。
【請求項３】
モニター装置の運転開始から太陽光発電の積算発電量が一定発電量に達する毎に増加しながら表示される環境貢献マークが所定数に達するまでは環境貢献度表示画面の一部がズームインして表示され、環境貢献度表示画面の一部がズームインして表示されたズームイン画面部に表示される環境貢献マークが所定数に達すると、ディスプレーに表示される環境貢献度表示画面が上記ズームイン画面部に表示した数の環境貢献マークを残しながらズームアウトして表示され、上記残された環境貢献マークの表示に加え更にズームアウト後に新たに太陽光発電の積算発電量が一定発電量に達する毎に環境貢献マークを一乃至複数ずつ増加させて表示することを特徴とする請求項１記載の太陽光発電モニター装置。
【発明の詳細な説明】
【技術分野】
【０００１】
本発明は、太陽光発電の状況を表示するモニター装置のディスプレーに太陽光発電により地球環境に貢献したことを利用者に知らせるための環境貢献度表示画面を表示して利用者に環境貢献意識を植え付けるようにした太陽光発電モニター装置に関するものである。
【背景技術】
【０００２】
従来から太陽光発電における現時点の発電量と、現時点の消費電力量とを数値で並べて表示すると共に、現時点の発電量＞現時点の消費電力量の場合は、コインが財布に入っていくアニメーション画像を表示し、現時点の消費電力量＞現時点の発電量の場合は、コインが財布から出て行くアニメーション画像を表示するようにしたエネルギー機器稼動状況表示装置が特許文献１により知られている。
【０００３】
ところが、上記した特許文献１に示された従来例にあっては、現時点の太陽光発電の発電量と現時点における電気の消費量が数値で表示されると共に、アニメーションによりコインが財布から出て行くか又は入って行くアニメーション表示により、現時点の状態が売電状態かあるいは買電状態かを表示するようにしているにすぎず、太陽光発電の運転を開始してから現時点までに太陽光発電をすることで地球環境にどのように貢献しているのかということを視覚的に利用者に知らせ、地球環境との関係で省エネルギーに対する強い動機付けを利用者に与えるようになったものではなかった。
【特許文献１】特開２００２−２９７２２９号公報
【発明の開示】
【発明が解決しようとする課題】
【０００４】
本発明は上記の従来の問題点に鑑みて発明したものであって、太陽光発電の運転を開始してから現時点までの太陽光発電による地球環境への貢献の累積を視覚的に利用者に効果的に知らせ、長期間にわたって利用者に地球環境のために省エネルギーに対する継続した強い動機付けを与えることができる太陽光発電モニター装置を提供することを課題とするものである。
【課題を解決するための手段】
【０００５】
上記課題を解決するために本発明に係る太陽光発電モニター装置は、太陽光発電の状況を表示するモニター装置１のディスプレー２に太陽光発電により地球環境に貢献したことを利用者に知らせるための環境貢献度表示画面Ｂ５を表示し、該環境貢献度表示画面Ｂ５に太陽光発電の積算発電量が一定発電量に達する毎に、環境貢献マーク４を一乃至複数ずつ増加させて表示するようにした環境貢献マーク表示手段５を設けて成ることを特徴とするものである。
【０００６】
このような構成とすることで、太陽光発電による累積発電量が増えるにしたがって環境貢献度表示画面Ｂ５に表示される環境貢献マーク４の数が増えて表示され、利用者に対して太陽光発電をすることでＣＯ２を削減して地球環境にどのように貢献したかということを環境貢献マーク４の数により実感として知らせることができ、しかも、長期間の利用において、累積発電量が増えるに従って環境貢献度表示画面Ｂ５に表示される環境貢献マーク４が徐々に増えていくため、長期間にわたって継続して利用者に対して環境貢献マーク４が次第に増えていくという楽しみを与え（つまり、環境貢献マーク４が増えるほど、よりＣＯ２を削減して地球環境に貢献したということを利用者に知らせ、このことが利用者にとって楽しみになる）ながら環境に貢献するために省エネルギーに取り組もうとする強い動機付けを与えることができる。
【０００７】
また、環境貢献度表示画面Ｂ５が初期画面部６と初期画面部６の側部に連続する増大用画面部７とからなり、モニター装置１の運転開始から太陽光発電の積算発電量が一定発電量に達する毎に増加しながら表示される環境貢献マーク４が所定数に達するまでは環境貢献度表示画面Ｂ５としてディスプレー２に初期画面部６のみが表示され、初期画面部６に表示される環境貢献マーク４が所定数に達すると、ディスプレー２に表示される環境貢献度表示画面Ｂ５として、所定数の環境貢献マーク４が表示された初期画面部６の表示に引き続いて、増大用画面部７がスクロールされて表示され、上記スクロールされて表示される増大用画面部７に、上記初期画面部６に表示された数の環境貢献マーク４に対応した積算発電量に達した以降における太陽光発電の積算発電量が一定発電量に達する毎に一乃至複数ずつ環境貢献マーク４を増加させて表示することが好ましい。
【０００８】
このような構成とすることで、初期画面部６だけでは過去からの累積発電量に対応した数の環境貢献マーク４を表示しきれなくなった場合、所定数の環境貢献マーク４が表示された初期画面部６の表示に引き続いて、増大用画面部７がスクロールされて表示され、この増大用画面部７に新たに環境貢献マーク４が表示され、長期間における環境貢献マーク４の表示数の増加に対応できるのみならず、累積発電量が一定値に達すると、環境貢献度表示画面Ｂ５における表示が初期画面部６による表示を継続しつつ全体としてそれ以前の表示形態と異なる表示形態となり、利用者に太陽光発電による環境への貢献度が一つのランクを超え、より高いランクで環境に貢献しているということを利用者に効果的に知らせることができ、環境に貢献するために省エネルギーに取り組もうとするより強い動機付けを与えることができる。
【０００９】
また、モニター装置１の運転開始から太陽光発電の積算発電量が一定発電量に達する毎に増加しながら表示される環境貢献マーク４が所定数に達するまでは環境貢献度表示画面Ｂ５の一部がズームインして表示され、環境貢献度表示画面Ｂ５の一部がズームインして表示されたズームイン画面部２０に表示される環境貢献マーク４が所定数に達すると、ディスプレー２に表示される環境貢献度表示画面Ｂ５が上記ズームイン画面部２０に表示した数の環境貢献マーク４を残しながらズームアウトして表示され、上記残された環境貢献マーク４の表示に加え更にズームアウト後に新たに太陽光発電の積算発電量が一定発電量に達する毎に環境貢献マーク４を一乃至複数ずつ増加させて表示することが好ましい。
【００１０】
このような構成とすることで、ズームイン画面部２０だけでは過去からの累積発電量に対応した数の環境貢献マーク４を表示しきれなくなった場合、所定数の環境貢献マーク４が表示されたズームイン画面部２０の表示に引き続いて、環境貢献度表示画面Ｂ５をズームアウトして表示することで、新たに所定数の環境貢献マーク４を表示したズームイン画面部２０を画面の一部として残したズームアウト画面部２１が表示され、長期間における環境貢献マーク４の表示数の増加に対応できる。また、累積発電量が一定値に達すると、ズームイン画面部２０からズームアウトしてズームアウト画面部２１が表示されるというように表示形態が変わることで、利用者に太陽光発電による環境への貢献度が一つのランクを超え、より高いランクで環境に貢献しているということを利用者に効果的に知らせることができ、環境に貢献するために省エネルギーに取り組もうとするより強い動機付けを与えることができる。
【発明の効果】
【００１１】
本発明は、上記のように構成したので、太陽光発電の運転を開始してから現時点までの太陽光発電による地球環境への貢献の累積を環境貢献マークの数により視覚的に利用者に効果的に知らせることができ、環境貢献マークが表示されることで、利用者に地球環境のために省エネルギーに対する動機付けを与えることができるのみならず、累積発電量が増えるにしたがって表示される環境貢献マークの増えることで、利用者に環境貢献マークの表示数を増やそうとする楽しみを持ちながら省エネルギーに取り組むことができて、よりいっそう省エネルギーに取り組もうとする強い動機付けを与えることができる。
【発明を実施するための最良の形態】
【００１２】
以下、本発明を添付図面に示す実施形態に基いて説明する。
【００１３】
本発明は家庭や事業所において利用される太陽光発電システムに用いる太陽電池１２を含むエネルギー機器の稼動状況を表示するようにした太陽光発電モニター装置である。
【００１４】
図１０には太陽光発電システムの概略構成図が示してある。太陽光発電システムは、太陽電池１２により太陽光発電した電力を家庭や事業所内の電力として利用するとともに、太陽光発電における発電量が消費電力よりも大きい場合（つまり余剰電力が生じた場合）は電力会社に売電し、曇りや雨あるいは夜間のように十分な太陽光発電ができなかったり、あるいは太陽光発電が不能となったりして太陽光発電における発電量が消費電力よりも小さい場合は不足分を電力会社から買電するようにしたシステムである。
【００１５】
図１０において、１２は発電側のエネルギー機器である太陽電池、１３は太陽電池１２による太陽光発電の制御を行うパワーコンディショナであって、電力測定ユニット１３ａを備えている。また、１４は太陽光発電電力系統線、電力会社からの商用電力系統線が接続された分電盤であって解列開閉器、電流センサ１４ａ等が設けてあり、１５は分電盤１４を介して供給される電力を消費する負荷（つまり、テレビ、冷蔵庫、電気温水器１５ａ等の消費側のエネルギー機器）であり、１は発電側のエネルギー機器である太陽電池１２の稼動状況や消費側のエネルギー機器である負荷１５の稼動状況を表示するためのモニター装置である。
【００１６】
上記パワーコンディショナ１３は太陽電池１２で発生した電気（直流）を交流２００Ｖに変換し、また、商用側の電力品質に影響を与えないようにするための制御を行い、更に、電力測定ユニット１３ａにより分電盤１４に設けた電流センサ１４ａからの情報に基づいて発電量、売／買電力を測定し、これらの太陽光発電に関する諸情報をモニター装置１にデータを送信するようになっている。
【００１７】
また、図１０の実施形態では負荷１５である消費側のエネルギー機器の一つの電気温水器１５ａの稼動状況の情報もモニター装置１に送信されるようになっている。
【００１８】
モニター装置１にはモニター制御部１８が設けてあり、上記送信されたデータを演算処理して発電及び電力消費状況（つまり、発電側、消費側のエネルギー機器の稼動状況）をモニター装置１のディスプレー２に画面として表示するようになっている。
【００１９】
本発明において、モニター装置１に表示される画面としては、エネルギー機器の稼動に関連した異なる特定基本情報をそれぞれ表示する３つ以上の基本画面Ｂ（Ｂ１、Ｂ２……Ｂｎ）、基本画面Ｂに表示された特定基本情報に関する更なる詳細情報を表示する詳細画面Ｃとに大別される。
【００２０】
図９にはモニター装置１に画面として表示する複数の異なる画面（基本画面Ｂ、詳細画面Ｃ）それぞれの関連を示す構成図が示してある。
【００２１】
モニター装置１に表示される３つ以上の基本画面Ｂは、エネルギー機器の稼動（実施形態においては太陽発電システムの稼動）に関連した３つ以上の特定基本情報を表示する画面である。図９の実施形態では、太陽発電システムの稼動に関連した５つの異なる重要な特定基本情報を５つの異なる基本画面Ｂ（Ｂ１、Ｂ２、Ｂ３、Ｂ４、Ｂ５）で表示するようにした例を示している。
【００２２】
すなわち、図９の実施形態においては、基本画面Ｂ１（発電及び電力消費状況を表す発電・消費画面Ｂ１）、基本画面Ｂ２（その日の時間毎の発電量、電力消費量を表す太陽光モニター画面Ｂ２）、基本画面Ｂ３（消費側のエネルギー機器の一つである電気温水器の稼動状態を表示する電気温水器モニター画面Ｂ３）、基本画面Ｂ４（省エネルギーに関する基本情報を表示する省エネナビ画面Ｂ４）、基本画面Ｂ５（省エネ効果が上がった場合に環境に対して貢献していることをいることを表示する環境貢献度表示画面Ｂ５）の５つの基本画面Ｂがある。各基本画面Ｂ１、Ｂ２、Ｂ３、Ｂ４の詳細はそれぞれ図１１乃至図１４に示しており、また、基本画面Ｂ５は図１乃至図４や、図５乃至図８に詳細を示している。
【００２３】
ここで、本発明においては、上記３つ以上（実施形態では５つ）の基本画面Ｂ１、Ｂ２、Ｂ３、Ｂ４、Ｂ５のいずれかがモニター装置１で表示されている状態で基本画面変更釦３８を操作することで、５つの基本画面Ｂ１、Ｂ２、Ｂ３、Ｂ４、Ｂ５があらかじめ決められた順番で循環して表示されるという規則性に基づいて次の順番の基本画面Ｂがモニター装置１に表示されるようになっている。基本画面変更釦３８としては正循環基本画面変更釦３８ａと逆循環基本画面変更釦３８ｂとがある。
【００２４】
基本画面変更釦３８としては、モニター装置１のケースに設けたものでもよく、また、モニター装置１に表示する画面にタッチ式スイッチとして設けたものであってもよい。
【００２５】
図９に示す実施形態において、今、モニター装置１に任意の基本画面Ｂ（例えば基本画面Ｂ１）が表示されている状態で正循環基本画面変更釦３８ａを指先でタッチする等の操作をすると画面が基本画面Ｂ２に切り換わって表示され、更に、基本画面Ｂ２が表示されている状態で正循環基本画面変更釦３８ａを操作すると画面が基本画面Ｂ３に切り換わって表示され、同様にして正循環基本画面変更釦３８ａを操作することで、次々とあらかじめ決められて順番で画面表示がなされ、基本画面Ｂｎ（実施形態ではＢｎ＝Ｂ５）が表示されている状態で正循環基本画面変更釦３８ａを操作すると画面が基本画面Ｂ１に切り換わって表示され、……というように正循環基本画面変更釦３８ａの操作により３つ以上の基本画面Ｂをあらかじめ決められた順番で一方向に循環して表示する（Ｂ１→Ｂ２→Ｂ３→……Ｂｎ−１→Ｂｎ→Ｂ１→Ｂ２……）という規則性の正循環による表示（正循環基本画面変更釦３８ａを示す「→」で示す方向の順番による表示）がなされるようにモニター制御部１８により表示が制御されるようになっている。
【００２６】
一方、モニター装置１に任意の基本画面Ｂ（例えば基本画面Ｂ１）が表示されている状態で逆循環基本画面変更釦３８ｂを操作すると画面が基本画面Ｂｎ（実施形態ではＢｎ＝Ｂ５）に切り換わって表示され、更に、基本画面Ｂｎ（Ｂ５）が表示されている状態で逆循環基本画面変更釦３８ｂを操作すると画面が基本画面Ｂｎ−１（実施形態ではＢ４）に切り換わって表示され、同様にして逆循環基本画面変更釦３８ｂを操作することで、次々とあらかじめ決められて逆方向の順番で画面表示がなされ……というように逆循環基本画面変更釦３８ｂの操作により３つ以上の基本画面Ｂをあらかじめ決められた逆方向の順番で逆方向に循環して表示する（Ｂ１→Ｂｎ→Ｂｎ−１→……→Ｂ２→Ｂ１→……）という規則性の逆循環による表示がなされるというようにモニター制御部１８により表示が制御されるようになっている。
【００２７】
このように３つ以上の基本画面Ｂ１、Ｂ２……Ｂｎのいずれかがモニター装置１で順番に循環して表示されるので、エネルギー機器の可動状況に関連した複数の特定基本情報のうちある１つの特定基本情報が基本画面Ｂとしてモニター装置１に表示されることになり、利用者はモニター装置１を見ることで現在表示されているある特定基本情報を知ることができる。
【００２８】
また、任意の基本画面Ｂが表示されている状態で当該基本画面Ｂに表示さている特定基本情報に関連した個別詳細情報を表示する詳細画面Ｃに表示変更するための詳細画面切替釦４１が設けてある。詳細画面切替釦４１としては基本画面変更釦３８と同様、モニター装置１のケースに設けたものでもよく、また、モニター装置１に表示する画面にタッチ式スイッチとして設けたものであってもよい。
【００２９】
すなわち、任意の基本画面Ｂが表示されている状態で詳細画面切替釦４１を指先でタッチする等の操作をすることで、該当する基本画面Ｂにおける表示に関連した詳細画面Ｃが表示されるようにモニター制御部１８により表示切り替えが制御される。詳細画面Ｃは図９に示すようにＣ１→Ｃというように階層化されている。
【００３０】
次に、各基本画面Ｂ１、Ｂ２、Ｂ３……Ｂｎにはそれぞれ太陽光発電システムに関する異なる特定基本情報が表示される。
【００３１】
図１１には発電・消費画面Ｂ１が示してあり、当日の基準となるカウント開始時刻から現在時刻までの総発電量と、総消費量とを棒グラフにより表示するようになっている。
【００３２】
図１２には基本画面Ｂの一つである太陽光モニター画面Ｂ２が示してあり、その日の時間毎の発電量、電力消費量をそれぞれ棒グラフとして表すようになっている。
【００３３】
図１３には基本画面Ｂの一つである消費側のエネルギー機器の一つである電気温水器の稼動状態を表示する電気温水器モニター画面Ｂ３が示してあり、その日の時間毎の電気温水器の稼動状態（使用湯量）を棒グラフで表すようになっている。
【００３４】
また、図１４には基本画面Ｂの一つである省エネルギーに関する基本情報を表示する省エネナビ画面Ｂ４が示してあり、当日までの今月の省エネ効果を金額に換算して棒グラフで表示するようになっている。
【００３５】
また、図１乃至図４には基本画面Ｂの一つである省エネ効果が上がった場合に環境に対して貢献していることをいることを表示する環境貢献度表示画面Ｂ５の一実施形態が示してある。
【００３６】
環境貢献度表示画面Ｂ５には太陽光発電の積算発電量が一定発電量に達する毎に、環境貢献マーク４を一乃至複数ずつ増加させて表示するようにした環境貢献マーク表示手段５がモニター制御部１８に設けてある。
【００３７】
モニター装置１の運転開始から太陽光発電の積算発電量を積算手段１１により積算し、積算発電量があらかじめ設定した一定発電量に達すると環境貢献マーク表示手段５により予め設定した数（１乃至複数）の環境貢献マーク４を環境貢献度表示画面Ｂ５に表示し、このように積算発電量があらかじめ設定した一定発電量に達すると積算手段１１により再び積算を開始して再び積算発電量があらかじめ設定した一定発電量に達すると環境貢献マーク表示手段５により更に予め設定した数（１乃至複数）の環境貢献マーク４を環境貢献度表示画面Ｂ５に増加して表示するというようにして、太陽光発電の積算発電量が一定発電量に達する毎に、環境貢献マーク４を一乃至複数ずつ増加させて環境貢献度表示画面Ｂ５に表示するようになっている。
【００３８】
環境貢献度表示画面Ｂ５に表示される環境貢献マーク４としては添付図面に示す実施形態においては緑の木のマークが例として示してあり、自然の風景を表す環境貢献度表示画面Ｂ５に緑の木よりなる環境貢献マーク４を積算発電量が一定発電量に達する毎に予め設定された数（１乃至複数）ずつ増加するように表示するものである。
【００３９】
図１乃至図４に示す実施形態において、環境貢献度表示画面Ｂ５は初期画面部６と初期画面部６の側部に連続する増大用画面部７とからなり、モニター装置１の運転が開始されると図１に示すように環境貢献度表示画面Ｂ５としてその一部の初期画面部６のみが表示される。そして、モニター装置１の運転開始から太陽光発電の積算発電量が一定発電量に達する毎に増加しながら表示される環境貢献マーク４が所定数に達するまで（つまり発電開始からの総積算発電量が予め決められた一定発電量に達するまで）は環境貢献度表示画面Ｂ５としてディスプレー２には図１乃至図３に示すように初期画面部６のみが表示され初期画面部６の端部に連続した増大用画面部７はディスプレー２の画面には表示されず隠れた状態となっている。
【００４０】
そして、図３のように、初期画面部６に表示される環境貢献マーク４が所定数に達すると（つまり発電開始からの総積算発電量が予め決められた一定発電量に達すると）、ディスプレー２に表示される環境貢献度表示画面Ｂ５として、図３に示す所定数の環境貢献マーク４が表示された初期画面部６の表示に引き続いて、図４のように増大用画面部７が自動的にスクロールされて表示され、上記スクロールされて表示される増大用画面部７に、上記初期画面部６に表示された数の環境貢献マーク４に対応した積算発電量に達した以降における太陽光発電の積算発電量が一定発電量に達する毎に一つずつ増加する環境貢献マーク４を表示される。
【００４１】
上記初期画面部６と増大用画面部７とを自動的にスクロールしてディスプレー２に表示するには、まず、所定数の環境貢献マーク４を表示した初期画面部６が図３のように表示され、これに引き続いて図４のように増大用画面部７が次第にディスプレー２に表示されるようにスクロールされ（図３、図４の矢印イに示す方向にスクロールされ）、所定の増大用画面部７が表示されると、再び上記とは逆の方向に自動的にスクロールされ（図３、図４の矢印ロに示す方向にスクロールされ）て図３のように所定数の環境貢献マーク４が表示された初期画面部６のみがディスプレー２に表示された状態に戻り、初期画面部６のみがディスプレー２に表示されると、再び初期画面部６に引き続いて増大用画面部７が次第にディスプレー２に表示されていくというようにして往復スクロールが自動的になされる。
【００４２】
上記制御はモニター制御部１８に設けた環境貢献マーク表示手段５によりなされるものである。
【００４３】
本実施形態においては、上記のように、太陽光発電による累積発電量が増えるにしたがって環境貢献度表示画面Ｂ５に表示される環境貢献マーク４の数が増えて表示されるので、利用者に対して太陽光発電をすることでＣＯ２を削減して地球環境にどのように貢献したかということを環境貢献マーク４の数により実感として知らせることができる。
【００４４】
また、長期間の利用において、累積発電量が増えるに従って環境貢献度表示画面Ｂ５に表示される環境貢献マーク４が徐々に増えていくので、長期間にわたって継続して利用者に対して環境貢献マーク４が次第に増えていくという楽しみを与え（つまり、環境貢献マーク４が増えるほど、よりＣＯ２を削減して地球環境に貢献したということを利用者に知らせ、このことが利用者にとって楽しみになる）ながら環境に貢献するために省エネルギーに取り組もうとする強い動機付けを与えることができる。
【００４５】
また、長期間の使用において、初期画面部６だけでは過去からの累積発電量に対応した数の環境貢献マーク４を表示しきれなくなった場合、所定数の環境貢献マーク４が表示された初期画面部６の表示に引き続いて、増大用画面部７がスクロールされて表示され、この増大用画面部７に新たに環境貢献マーク４が表示され、長期間における環境貢献マーク４の表示数の増加に対応できることになる。
【００４６】
しかも、単に環境貢献マーク４が画面上増えていくだけでは、長期間の使用により次第に表示形態がマンネリ化して利用者に与える印象が弱まっていくが、上記のように、初期画面部６に表示される環境貢献マーク４が所定数に達すると（つまり発電開始からの総積算発電量が予め決められた一定発電量に達すると）、ディスプレー２に表示される環境貢献度表示画面Ｂ５として、所定数の環境貢献マーク４が表示された初期画面部６の表示に引き続いて、増大用画面部７が自動的にスクロールされて表示されることで、初期画面部６と増大用画面部７とよりなる環境貢献度表示画面Ｂ５のディスプレー２への表示形態が異なり、太陽光発電による環境貢献度が更にレベルアップされたより高いランクで環境に貢献しているということを利用者に強いインパクトで印象づけることができ、環境に貢献するために省エネルギーに取り組もうとするより強い動機付けを与えることができるのである。
【００４７】
次に、図５乃至図８に基づいて本発明の更に他の実施形態につき説明する。
【００４８】
本実施形態においては環境貢献度表示画面Ｂ５は、モニター装置１の運転開始から太陽光発電の積算発電量が一定発電量に達する毎に増加しながら表示される環境貢献マーク４が所定数に達するまでは環境貢献度表示画面Ｂ５の一部をズームインしたズームイン画面部２０が表示されるようになっている。
【００４９】
モニター装置１の運転開始から太陽光発電の積算発電量が一定発電量に達する毎に増加しながら表示される環境貢献マーク４が所定数に達するまで（つまり発電開始からの総積算発電量が予め決められた一定発電量に達するまで）はディスプレー２には環境貢献度表示画面Ｂ５の一部がズームインして表示されたズームイン画面部２０が表示される。
【００５０】
すなわち、モニター装置１の運転を開始すると、図５に示すように、環境貢献度表示画面Ｂ５としてはその一部をズームインしたズームイン画面部２０が表示される。そして、モニター装置１の運転開始から太陽光発電の積算発電量を積算手段１１により積算し、積算発電量があらかじめ設定した一定発電量に達すると、ズームイン画面部２０に環境貢献マーク表示手段５により予め設定した数（１乃至複数）の環境貢献マーク４を環境貢献度表示画面Ｂ５の一部がズームインして表示されたズームイン画面部２０に表示し、その後、再び太陽光発電の積算発電量を積算手段１１により積算し、積算発電量があらかじめ設定した一定発電量に達すると再び予め設定した数（１乃至複数）の環境貢献マーク４を増加して表示する。このようにして太陽光発電の積算発電量が一定発電量に達する毎に予め設定した数（１乃至複数）の環境貢献マーク４を増加して表示していく（つまり図５→図６→図７というように環境貢献マーク４が増加しながら表示される）。そして、ズームイン画面部２０に表示される環境貢献マーク４が図７に示すように、所定数に達すると（つまり発電開始からの総積算発電量が予め決められた一定発電量に達すると）、ディスプレー２に表示される環境貢献度表示画面Ｂ５として、ズームアウトされた図８に示すズームアウト画面部２１に自動的に切り替わって表示される。
【００５１】
ズームアウト画面部２１は図８に示すように、切り替え前の上記所定数の環境貢献マーク４が表示された状態のズームイン画面部２０が縮小されてその画面の一部（ズームイン画面部２０が縮小された状態で）として残したものである。
【００５２】
環境貢献度表示画面Ｂ５が、ズームイン画面部２０からズームアウト画面部２１に切り換わると、太陽光発電の積算発電量を積算手段１１により積算し、積算発電量が一定発電量に達する毎に所定数（一乃至複数）の環境貢献マーク４を増しながら表示していく。この場合、ズームアウト画面部２１の画面の一部にはズームイン画面部２０を縮小して表示した部分があり、この部分にはすでに所定数の環境貢献マーク４が表示されているので、このズームイン画面部２０を縮小して表示した部分を除くズームアウト画面部２１の画面の他の部分に順次環境貢献マーク４の表示をしていくようになっている。
【００５３】
上記、制御はモニター制御部１８に設けた環境貢献マーク表示手段５によりなされるものである。
【００５４】
本実施形態においても、上記のように、太陽光発電による累積発電量が増えるにしたがって環境貢献度表示画面Ｂ５に表示される環境貢献マーク４の数が増えて表示されるので、利用者に対して太陽光発電をすることでＣＯ２を削減して地球環境にどのように貢献したかということを環境貢献マーク４の数により実感として知らせることができる。
【００５５】
しかも、長期間の利用において、累積発電量が増えるに従って環境貢献度表示画面Ｂ５に表示される環境貢献マーク４が徐々に増えていくので、長期間にわたって継続して利用者に対して環境貢献マーク４が次第に増えていくという楽しみを与え（つまり、環境貢献マーク４が増えるほど、よりＣＯ２を削減して地球環境に貢献したということを利用者に知らせ、このことが利用者にとって楽しみになる）ながら環境に貢献するために省エネルギーに取り組もうとする強い動機付けを与えることができる。
【００５６】
また、長期間の使用において、環境貢献度表示画面Ｂ５として初めに表示されるズームイン画面部２０だけでは過去からの累積発電量に対応した数の環境貢献マーク４を表示しきれなくなった場合、所定数の環境貢献マーク４が表示されたズームイン画面部２０の表示に引き続いて、環境貢献度表示画面Ｂ５をズームアウトしたズームアウト画面部２１に表示することで、新たに所定数の環境貢献マーク４を表示したズームイン画面部２０を縮小して画面の一部として残したズームアウト画面部２１が表示され、長期間における環境貢献マーク４の表示数の増加に対応でき、更に、累積発電量が一定値に達すると、ズームイン画面部２０からズームアウト画面部２１へと表示形態が変わることで、利用者に太陽光発電による環境への貢献度が一つのランクを超え、より高いランクで環境に貢献しているということを利用者に効果的に知らせることができ、環境に貢献するために省エネルギーに取り組もうとするより強い動機付けを与えることができる。
【００５７】
なお、一日又は週間又は月間又は年間の省エネ目標値として、例えば、月間の目標電気代の目標値を設定したり、月間の発電量の目標値を設定したり、あるいは、月間の消費量を目標値として設定したり、あるいは、月間の発電量と月間の電力消費量との差をあらかじめ目標値として設定したり、あるいは月間の電気温水器の目標使用湯量を目標値として設定したりして、上記目標値を達成すると、環境貢献度表示画面Ｂ５、又は省エネナビ画面Ｂ４、あるいはその他の基本画面Ｂに、１ヶ月毎に目標値を達成すると１本ずつ花が咲くような表示をするようにしたり、あるいは目標達成の度合いに応じて花の大きさ次第に大きくなるようにしてもよい。これによると、花が咲いている数や大きさ等により本年における前月までの目標達成がどの程度なされたかが一目で判り、よりいっそう省エネルギーに対する強い動機付けを利用者に与えることができる。
【００５８】
その一例を図１５、図１６に示す。図１５、図１６には目標達成度表示画面５１が示してあり、例えば、省エネナビ画面Ｂ４の詳細画面切替釦４１を操作することで表示される、省エネナビ画面Ｂ４に階層化された下層の画面を示している。この目標達成度表示画面５１には、今月の当日までの総発電量と、総消費電力量とを棒グラフと、数値とで示してあり、また、今月の当日までの売電量を数値で示し、更に貯湯量を数値で示すようになっているが、これに加えて、更に、発電・消費画面Ｂ１には花模様、動物模様、キャラクター模様などの目標達成表示用アイコン５０が表示されるようになっており、設定した省エネ目標の達成度合いを目標達成表示用アイコン５０の大きさで表現するようになっている。
【００５９】
すなわち、基本画面Ｂに設ける詳細画面切替釦４１として「目標設定」用の詳細画面切替釦４１を設け、「目標設定」用の詳細画面切替釦４１を操作して省エネに関する目標設定をする。
【００６０】
例えば、添付図面に示す実施形態では図１４に示す基本画面Ｂの一つである省エネルギーに関する基本情報を表示する省エネナビ画面Ｂ４に設けた「目標設定」用の詳細画面切替釦４１を操作して目標設定画面を表示して省エネ目標値を設定する。この省エネ目標値としては、図の実施形態では、月初めに、月当たりの目標電気代や、月当たりの目標消費電力量や、あるいは月当たりの電気温水器の目標使用湯量等を設定した例である。
【００６１】
そして、目標達成表示用アイコン５０としては、今月の当日までの上記月当たりの目標電気代を示す目標達成表示用アイコン５０ａ、月当たりの目標消費電力量を示す目標達成表示用アイコン５０ｂ、月当たりの目標使用湯量を示す目標達成表示用アイコン５０ｃ等、目標の種類に応じて目標達成表示用アイコン５０の色やデザインを異ならせてあり、各目標達成表示用アイコン５０ａ、５０ｂ、５０ｃはそれぞれ今月の当日までのそれぞれの目標達成度合いに応じて目標達成度合いが大きくなるほど大きく表示されるようになっている。図１５は目標達成度合いが小さい場合であり、図１６は目標達成度合いが大きい場合であり、図１５、図１６から明らかなように、目標達成度合いが大きくなるほど各目標達成表示用アイコン５０ａ、５０ｂ、５０ｃが大きく表示される。
【００６２】
これにより、目標達成度表示画面５１に示される各目標達成表示用アイコン５０ａ、５０ｂ、５０ｃの大きさの変化を見ることで、省エネに関するどの目標がどの程度達成されたかが、他の目標の達成度との関連において、一目で判り、また、日々、目標達成度が大きくなって表示されることで、省エネに対する強い動機付けを利用者に与えることができる。
【００６３】
もちろん、設定する省エネの目標としては上記の例にのみ限定されるものではない。また、図１５、図１６の実施形態では月間の省エネ目標値を各目標達成表示用アイコン５０ａ、５０ｂ、５０ｃで表示する例について説明したが、年間の省エネ目標値や、週間の省エネ目標値や、一日当たりの省エネ目標値を各目標達成表示用アイコン５０ａ、５０ｂ、５０ｃで表示するようにしてもよい。
【００６４】
また、上記例では目標達成度表示画面５１が省エネナビ画面Ｂ４に階層化された下層の画面である例で説明したが、目標達成度表示画面５１が省エネナビ画面Ｂ４以外の他の基本画面Ｂに階層化された下層の画面であってもよく、また、いずれかの基本画面Ｂが目標達成度表示画面５１を兼用していてもよい。
【図面の簡単な説明】
【００６５】
【図１】本発明の太陽光発電モニター装置に表示される基本画面の一つとしての環境貢献度表示画面の一実施形態を示し、初期画面部が表示されている状態を示す正面図である。
【図２】同上の初期画面部に環境貢献マークが表示されている状態の正面図である。
【図３】同上の初期画面部に表示限度いっぱいの所定数の環境貢献マークが表示されている状態の正面図である。
【図４】同上の初期画面部に引き続いて増大用画面部がスクロールして表示されている状態の正面図である。
【図５】本発明の他の実施形態の太陽光発電モニター装置に表示される基本画面の一つとしての環境貢献度表示画面の他の実施形態を示し、ズームイン画面部が表示されている状態を示す正面図である。
【図６】同上のズームイン画面部に環境貢献マークが表示されている状態の正面図である。
【図７】同上のズームイン画面部に表示限度いっぱいの所定数の環境貢献マークが表示されている状態の正面図である。
【図８】同上のズームアウト画面に切り換わって表示されている状態の正面図である。
【図９】本発明のエネルギー機器稼動状況表示モニターにおいて表示する複数の異なる画面相互の関連を示す構成図である。
【図１０】同上のモニターが用いられる太陽光発電システムの概略構成図である。
【図１１】同上の基本画面の一つである発電・消費画面である。
【図１２】同上の基本画面の一つである太陽光モニター画面である。
【図１３】同上の基本画面の一つである電気温水器モニター画面である。
【図１４】同上の基本画面の一つである省エネナビ画面である。
【図１５】同上の達成度合いが小さい場合の目標達成度表示画面である。
【図１６】同上の達成度合いが大きい場合の目標達成度表示画面である。
【符号の説明】
【００６６】
１  モニター装置
２  ディスプレー
４  環境貢献マーク
５  環境貢献マーク表示手段
６  初期画面部
７  増大用画面部
Ｂ５  環境貢献度表示画面
【図１】
2008178282.tif 000003
【図２】
2008178282.tif 000004
【図３】
2008178282.tif 000005
【図４】
2008178282.tif 000006
【図５】
2008178282.tif 000007
【図６】
2008178282.tif 000008
【図７】
2008178282.tif 000009
【図８】
2008178282.tif 000010
【図９】
2008178282.tif 000011
【図１０】
2008178282.tif 000012
【図１１】
2008178282.tif 000013
【図１２】
2008178282.tif 000014
【図１３】
2008178282.tif 000015
【図１４】
2008178282.tif 000016
【図１５】
2008178282.tif 000017
【図１６】
2008178282.tif 000018